(57)【要約】【課題】鍵管理の煩わしさがなくなるとともに、鍵孔の視認性が高められる開閉体の操作部材収納装置を提供し、利便性の向上、鍵操作性の向上を図る。【解決手段】施解錠操作するためのキー４９が、屋内側の面に挿脱される開閉体の操作部材収納装置１００であって、抜脱されたキー４９を差し入れる収納穴５７と、開閉体２９におけるキー４９の係合孔４７を照らす照明部６７と、収納穴５７に対するキー４９の挿脱状態を検出するリミットスイッチ７１と、リミットスイッチ７１からの挿脱検出信号を受け、照明部６７をオン・オフ制御する制御手段とを備えた。【選択図】      図１
2004244944.tif 000002
【特許請求の範囲】
【請求項１】
開閉体を施解錠操作するための操作部材が、前記開閉体の屋内側の面より挿脱される開閉体の操作部材収納装置であって、
抜脱された前記操作部材を挿し入れる収納穴と、
前記開閉体における前記操作部材の係合孔を照らす照明手段と、
前記収納穴に対する前記操作部材の挿脱状態を検出する挿脱検出手段と、
該挿脱検出手段から挿脱検出信号を受け、前記照明手段をオン・オフ制御する制御手段と、
を具備したことを特徴とする開閉体の操作部材収納装置。
【請求項２】
請求項１記載の開閉体の操作部材収納装置であって、
人体を検出する人体検出手段を備えたことを特徴とする開閉体の操作部材収納装置。
【請求項３】
請求項１又は２記載の開閉体の操作部材収納装置であって、
周囲の明るさを検出する照度検出手段を備えたことを特徴とする開閉体の操作部材収納装置。
【請求項４】
請求項１又は２又は３記載の開閉体の操作部材収納装置であって、
所定時間後に前記照明手段を消灯する計時手段を備えたことを特徴とする開閉体の操作部材収納装置。
【請求項５】
請求項１，２，３，４のいずれか１つに記載の開閉体の操作部材収納装置であって、
前記収納穴を示す表示手段を備えたことを特徴とする開閉体の操作部材収納装置。
【請求項６】
請求項１，２，３，４，５のいずれか１つに記載の開閉体の操作部材収納装置であって、
前記操作部材が前記開閉体の屋外側のシリンダ錠に用いられる合鍵であることを特徴とする開閉体の操作部材収納装置。
【請求項７】
請求項６記載の開閉体の操作部材収納装置であって、
前記操作部材が挿入される前記開閉体の屋内側の係合孔がシリンダ錠であることを特徴とする開閉体の操作部材収納装置。
【請求項８】
請求項１，２，３，４，５，６，７のいずれか１つに記載の開閉体の操作部材収納装置であって、
前記収納穴と、前記照明手段と、前記挿脱検出手段と、前記制御手段とが、前記開閉体と別体の筐体に設けられ、該筐体が取付手段によって前記開閉体の屋内側の面に取り付けられることを特徴とする開閉体の操作部材収納装置。
【請求項９】
請求項１，２，３，４，５，６，７のいずれか１つに記載の開閉体の操作部材収納装置であって、
前記収納穴が前記開閉体の屋内側の面に開口して設けられ、
前記照明手段と前記挿脱検出手段及び前記制御手段が前記開閉体に内設されたことを特徴とする開閉体の操作部材収納装置。
【発明の詳細な説明】
【０００１】
【発明の属する技術分野】
本発明は、扉などの開閉体の屋内側の面に配設される施解錠操作するための操作部材を防犯上屋内側の面に対して挿脱可能にして構成される開閉体の操作部材収納装置に関する。
【０００２】
【従来の技術】
玄関扉などの戸体に装飾や明り取りのためのガラス窓を設けている場合、室外側からそのガラス窓のガラスを破壊して手を挿入し、サムターンが外部から不正に解錠操作される恐れがあり、防犯性が損われる問題点がある。また、この問題点を解消するために、上記ガラス窓が破壊されないように例えば防弾ガラスを採用すれば、コストが増大し、実用性に欠ける。そこで、このようなサムターンの有する問題点を解消し、外部から室内側の不正な解錠操作を困難にして、就寝時や外出時等における防犯性の向上を図ったドア、引戸等の建具が、下記特許文献１などで提案されている。
【０００３】
【特許文献１】
特開平１１−９３４８２号公報
【０００４】
上記特許文献１に開示される図８に示すドア、引戸等の建具１は、戸体３を開閉可能に支持した枠体（図示せず）に、棒状もしくは鎌状の係止部材７が係合離脱される受座（図示せず）を設け、戸体３の室内外両面に、鍵操作により連動して戸体３内に設けられた錠５の係止部材７を受座に係合離脱させる施解錠可能なシリンダー１１，１３をそれぞれ設け、その室内側のシリンダー１１は、通常時は鍵９を取り付けた状態にし、必要時に鍵９を取り外すように構成されている。
【０００５】
このように構成されたドア、引戸等の建具１によれば、就寝時や外出時等に室内側のシリンダー１１の鍵９を取り外しておくことにより、外部から不正に解錠操作されるのを簡単な構造で確実に防止することが可能となり、防犯性の向上を図ることができた。
【０００６】
【発明が解決しようとする課題】
しかしながら、上記引戸等の建具は、防犯性向上の目的で室内側のシリンダー１１から鍵９を取り外し可能に構成し、就寝時や外出時等には室内側のシリンダー１１から鍵９を取り外すため、取り外した後の鍵９の保管場所を定めたり、持ち歩く必要があり、取り外した後の鍵管理に煩わしさが生じた。また、保管場所が特定されていなかったり、持ち歩く場合には、紛失することもあり、屋内側からの施錠が不能となる虞もあった。さらに、非常時などに、解錠操作を行おうとする場合に、取り外した鍵９の所在が定まっていないことで解錠操作を困難なものとする虞もあった。また、鍵９を取り外した後、再び室内側のシリンダー１１に鍵９を挿入する際、周囲の明るさを確保できない場所では鍵孔の視認性が低下し、鍵９の挿入が行い難くなって、室内側からの迅速な施解錠が行えない不都合が生じた。
【０００７】
本発明は上記状況に鑑みてなされたもので、鍵などの操作を行うための部材の管理の煩わしさがなくなるとともに、鍵孔の視認性が高められる開閉体の操作部材収納装置を提供し、もって、利便性の向上、操作性の向上を図ることを目的とする。
【０００８】
【課題を解決するための手段】
次に、上記の課題を解決するための手段を、実施の形態に対応する図面を参照して説明する。
この発明の請求項１記載の開閉体の操作部材収納装置１００（２００）は、開閉体２９を施解錠操作するための操作部材４９が、前記開閉体２９の屋内側の面３１に挿脱される開閉体の操作部材収納装置１００（２００）であって、
抜脱された前記操作部材４９を挿し入れる収納穴５７と、
前記開閉体２９における前記操作部材４９の係合孔４７を照らす照明手段６７と、
前記収納穴５７に対する前記操作部材４９の挿脱状態を検出する挿脱検出手段７１と、
該挿脱検出手段７１から挿脱検出信号を受け、前記照明手段６７をオン・オフ制御する制御手段８１と、
を具備したことを特徴とする。
【０００９】
この開閉体の操作部材収納装置１００（２００）では、防犯上、開閉体２９から抜脱された操作部材４９が収納穴５７に挿し入れられ、操作部材４９が開閉体２９に保管可能となる。これにより、操作部材４９の保管場所を定めて管理する煩わしさや、持ち歩く必要がなくなり、利便性が向上するとともに、操作部材４９の紛失も防止される。また、収納穴５７から操作部材４９が抜き取られて施解錠操作する際、係合孔４７が照明手段６７によって照らされ、操作部材４９の挿入性及びその操作性が向上する。
【００１０】
請求項２記載の開閉体の操作部材収納装置は、請求項１記載の開閉体の操作部材収納装置１００（２００）であって、
人体を検出する人体検出手段７５を備えたことを特徴とする。
【００１１】
この開閉体の操作部材収納装置１００（２００）では、人が開閉体２９の屋内側に近づけば、人体検出手段７５が作動して照明手段６７によって係合孔４７が照らされ、周囲が暗い場合においても係合孔４７に操作部材４９が挿入されていないことが容易に視認可能となり、また、係合孔４７に対して操作部材４９を挿し入れる操作時においても視認可能となり、開閉体２９の操作性が向上する。
【００１２】
請求項３記載の開閉体の操作部材収納装置は、請求項１又は２記載の開閉体の操作部材収納装置１００（２００）であって、
周囲の明るさを検出する照度検出手段７７を備えたことを特徴とする。
【００１３】
この開閉体の操作部材収納装置１００（２００）では、周囲が明るいときには、照度検出手段７７からの検出信号を受けて制御手段８１が作動され、照明手段６７の不要な点灯動作が停止されて、消費電力が低減される。
【００１４】
請求項４記載の開閉体の操作部材収納装置は、請求項１又は２又は３記載の開閉体の操作部材収納装置１００（２００）であって、
所定時間後に前記照明手段６７を消灯する計時手段８５を備えたことを特徴とする。
【００１５】
この開閉体の操作部材収納装置１００（２００）では、人体検出手段７５が作動したとき或いは挿脱検出手段７１が作動したとき、所定時間後に照明手段６７が消灯する。換言すれば、各検出手段が作動して照明手段６７が点灯してから所定時間だけ、照明手段６７が点灯し続けることになる。これにより、良好な視認性が適宜な時間で確保され、かつ消費電力が低減される。
【００１６】
請求項５記載の開閉体の操作部材収納装置は、請求項１，２，３，４のいずれか１つに記載の開閉体の操作部材収納装置１００（２００）であって、
前記収納穴５７を示す表示手段７３を備えたことを特徴とする。
【００１７】
この開閉体の操作部材収納装置１００（２００）では、収納穴５７が専用の表示手段７３によって示され、収納穴５７の位置の確認、及びこの収納穴５７に挿し入れられた操作部材４９の位置確認及び視認性が良好となる。
【００１８】
請求項６記載の開閉体の操作部材収納装置は、請求項１，２，３，４，５のいずれか１つに記載の開閉体の操作部材収納装置１００（２００）であって、
前記操作部材が屋外側のシリンダ錠に用いられる合鍵９１であることを特徴とする。
【００１９】
この開閉体の操作部材収納装置１００（２００）では、操作部材が屋外側のシリンダ錠に用いられる合鍵９１となり、合鍵一つで操作部材としての兼用も可能となる。また、合鍵９１が収納穴５７に収納できるようになり、合鍵９１の新たな保管場所も確保される。
【００２０】
請求項７記載の開閉体の操作部材収納装置は、請求項６記載の開閉体の操作部材収納装置１００（２００）であって、
前記操作部材である合鍵９１が挿入される前記開閉体２９の屋内側の係合孔４７がシリンダ錠であることを特徴とする。
【００２１】
この開閉体の操作部材収納装置１００（２００）では、操作部材である合鍵９１が挿入される係合孔５７がシリンダ錠となり、このシリンダ錠が例えば開閉体２９の屋外側シリンダ錠と同一となることにより、合鍵９１が共用可能となる。また、操作部材（合鍵９１）を他部材にて代用することが困難になる。
【００２２】
請求項８記載の開閉体の操作部材収納装置は、請求項１，２，３，４，５，６，７のいずれか１つに記載の開閉体２９の操作部材収納装置１００であって、
前記収納穴５７と、前記照明手段６７と、前記挿脱検出手段７１とが、前記開閉体２９と別体の筐体２１に設けられ、該筐体２１が取付手段２７によって前記開閉体２９の屋内側の面３１に取り付けられることを特徴とする。
【００２３】
この開閉体の操作部材収納装置１００では、筐体２１が取付手段２７によって開閉体２９の屋内側の面３１に取り付け可能となり、既設の開閉体２９に対する後付けが容易に行えるようになる。
【００２４】
請求項９記載の開閉体の操作部材収納装置は、請求項１，２，３，４，５，６，７のいずれか１つに記載の開閉体の操作部材収納装置２００であって、
前記収納穴５７が前記開閉体２９の屋内側の面３１に開口して設けられ、
前記照明手段６７と前記挿脱検出手段７１及び前記制御手段８１が前記開閉体２９に内設されたことを特徴とする。
【００２５】
この開閉体の操作部材収納装置２００では、収納穴５７が開閉体２９の屋内側の面３１に開口して設けられ、照明手段６７と挿脱検出手段７１及び制御手段８１が開閉体２９に内設されるので、開閉体２９からの突出物がなくなり、開閉体２９の意匠性や機能性を損ねることがない。
【００２６】
【発明の実施の形態】
以下、本発明に係る開閉体の操作部材収納装置の好適な実施の形態を図面を参照して詳細に説明する。
図１は本発明に係る操作部材収納装置の分解斜視図、図２は図１に示した操作部材収納装置の取り付けられた開閉体屋内面の斜視図、図３は照明手段の動作説明図、図４は人体検出手段の検出範囲を平面視（ａ），側面視（ｂ）に表した動作説明図、図５は図１に示した操作部材収納装置の機能部品構成を表すブロック図である。
【００２７】
本実施の形態の操作部材収納装置１００は、図１に示すように、合成樹脂材を一体成形してなる筐体２１の一側面に、底蓋２３をネジ２５で固定した方形箱形状に形成されている。組立てられた操作部材収納装置１００は、底蓋２３の背面に貼着された取付手段としての磁石２７を介し、図２に示すように開閉体としてのドア２９の屋内側の面３１に取り付けられる。なお、この取付手段は、取り付けられるドアなどの開閉体の素材により、例えばこの開閉体であるドアが鉄製などの場合は上記したように磁石とされ、その他の素材よりなる開閉体である場合には、開閉体の屋内側の面３１に磁性体よりなる板材を貼着して磁着にて取り付ける方法や、両面テープ、面ファスナー或いは接着剤などを取付手段として構成して取り付けを行うこととしてもよい。
【００２８】
ドア２９には図示しない錠箱が内蔵され、ドア２９の木口３３には、この錠箱に内蔵された施解錠機構によって進退が可能となったラッチボルト３５及びデッドボルト３７が、フロント板３９の開口窓から突出されている。ドア２９の屋内側の面３１にはノブ４１が突設され、ノブ４１は錠箱の施解錠機構を介してラッチボルト３５を進退させる。ラッチボルト３５は、突出することによって開口枠４３に設けられた図示しないストライク板の係合穴に係合し、ドア２９を開口枠４３側に閉止する。
【００２９】
屋内側の面３１にはノブ４１の近傍、例えば上方に、回動筒４５が配設され、回動筒４５は係合孔４７を有している。この係合孔４７には、操作部材としてのキー４９が挿脱自在となっている。本実施の形態において、キー４９は、合鍵である必要はなく、摘み部４９ａと、この摘み部４９ａから突出した単なる細板４９ｂを有するものとして形成されている。回動筒４５は、係合孔４７にキー４９を挿入して回動することにより、錠箱の施解錠機構へ回動操作力を伝え、デッドボルト３７を進退させる。つまり、回動筒４５に挿入されたキー４９は、従前のサムターンとして働くようになっている。
【００３０】
操作部材収納装置１００の筐体２１には、図１に示すように電池収容部５１が形成され、電池収容部５１は、後述する回路基板６９へ電源を供給する電源としての電池５３を、本実施の形態では複数収容してカバー５５によって閉塞されるようになっている。
【００３１】
また、筐体２１の上面には収納穴５７が開口され、収納穴５７にはキー４９の細板４９ｂが挿入される。
【００３２】
筐体２１上面の収納穴５７の周囲には、表示窓５９が設けられている。表示窓５９は、本実施の形態では、収納穴５７の前方側に配置され、装置内部からの後述する表示手段の光によって発光し、かつ出射した光によって収納穴５７の位置及びこの収納穴５７に挿し入れられているキー４９の位置を示し、好ましくは、キー４９を照らすようになっている。
【００３３】
底蓋２３の内側にはガイド部６１が設けられ、ガイド部６１は筒部６１ａと、ストッパ６１ｂとを有している。ガイド部６１は、収納穴５７に挿し入れられるキー４９の細板４９ｂをガイドし、筒部６１ａが、収納穴５７と連通している。
【００３４】
筐体２１には、前面に、乳白色な半透明の合成樹脂材からなるフレネルレンズ６３の嵌められた窓部６５が形成され、この窓部６５は装置外部の赤外線を集光して装置内部へ取り入れるようになっている。
【００３５】
また、筐体２１の下面には、図３に示すように、照明手段としての照明部６７が設けられる。この照明部６７としては、発光素子が用いられ、発光素子としては例えば所定の発光色の光を出射する発光ダイオード（ＬＥＤ）やレーザダイオード（ＬＤ）が用いられ、好ましくは白色に発光するＬＥＤが用いられる。照明部６７の本体６７ａは、略球体状に形成され、筐体２１の下面に、その一部が下面より突出するように嵌め込まれ、筐体２１に対して可動自在に取り付けられている。そして、この照明部６７は、筐体２１に対して所定の角度で首振り自在とされ、回動筒４５を最適な角度で照らせるようになっている。
【００３６】
筐体２１の内部には回路基板６９が設けられ、回路基板６９はガイド部６１に対向する挿脱検出手段としてのリミットスイッチ７１を実装している。リミットスイッチ７１は、可動子７１ａを備え、この可動子７１ａが収納穴５７に挿入された細板４９ｂに押下されることで接点を閉じ（オンし）、細板４９ｂが抜かれることで接点を開く（オフする）ようになっている。このリミットスイッチ７１のオン・オフ信号は、後述の制御手段８１へ送出され、照明部６７の発光ダイオードのオン・オフ制御に用いられる。なお、可動子７１ａは、ガイド部６１のストッパ６１ｂによって、必要以上の押下が防止されている。
【００３７】
回路基板６９には表示窓５９に対向して表示手段としての表示灯７３が設けられる。この表示灯７３は、上記照明部６７と同様に発光素子が用いられ、例えば緑色に発光する発光ダイオード（ＬＥＤ）とされる。表示灯７３は表示窓５９を筐体２１内から発光させ、この操作部材収納装置１００の動作中を示すパイロットランプとされるとともに、収納穴５７の位置を示すようになっている。なお、この表示灯７３の輝度によっては、表示窓５９からの透過光によりキー４９を照らすようになり、これにより、表示窓５９の発光により、収納穴５７の位置が示されるとともに、収納穴５７の近傍が照らされ、収納穴５７に挿し入れられたキー４９を照らして、このキー４９の視認性を良好とすることができる。
【００３８】
また、回路基板６９にはフレネルレンズ６３に対向して人体検出手段が実装される。この人体検出手段としては、赤外線センサや光電センサなど、人体の有無を検出可能なセンサよりなり、本実施の形態では赤外線センサ７５よりなる。この赤外線センサ７５は人体から発する熱エネルギー（赤外線）をフレネルレンズ６３で集光して人の有無を検出可能としている。なお、赤外線センサ７５の検出範囲は、図４（ａ）に示すように水平方向を角度９０°程度、図４（ｂ）に示すように上下方向を角度３０°程度、検出距離を３〜５ｍ程度とされる。
【００３９】
さらに、回路基板６９には、赤外線センサ７５の近傍に、照度検出手段としての光センサ７７が実装され、光センサ７７は周囲の明るさを検出してその検出信号を後述の制御手段８１へ送出する。
【００４０】
回路基板６９にはＣＰＵなどのマイクロプロセッサからなる図５に示す制御手段８１が実装されている。この制御手段８１は、判別手段８３と、計時手段８５と、駆動制御手段８７とを備えてている。判別手段８３には、上記のリミットスイッチ（挿脱検出手段）７１、光センサ（照度検出手段）７７、赤外線センサ（人体検出手段）７５が接続されている。判別手段８３は、これらリミットスイッチ７１、光センサ７７、赤外線センサ７５及び計時手段８５からの入力信号に基づき照明オン・オフの判別を実行し、その制御信号を駆動制御手段８７へ送出する。そして、駆動制御手段８７は、判別手段８３からの制御信号を受けることにより、照明手段である照明部６７と、表示手段である表示灯７３とをオン・オフ制御するようになっている。
【００４１】
次に、このような構成を有する操作部材収納装置１００の動作を説明する。
ドア２９は、就寝時や外出時等の必要時に、回動筒４５からキー４９が抜かれ、操作部材収納装置１００の収納穴５７に挿し込まれる。これにより、屋外側からの針金や棒等による不正なキー４９の回転操作ができなくなり、防犯性が向上する。操作部材収納装置１００は、キー４９が挿し入れられると、リミットスイッチ７１がオンとなり、他の検出信号の状況を判別手段８３が判別することによって照明部６７及び表示灯７３がオン・オフ制御される。
【００４２】
すなわち、制御手段８１は、リミットスイッチ７１からのキー有り信号を受けるとともに、光センサ７７からの暗信号を受け、且つ赤外線センサ７５からの人検知信号を受けることによって、照明部６７及び表示灯７３をオン（点灯）する。このうち、いずれか一つの信号がない場合、すなわち周囲が明るく光センサ７７が暗信号を発しない、或いは、人が近傍に居ず赤外線センサ７５が人検知信号を発しない場合には、照明部６７及び表示灯７３をオフ（消灯）とする。また、これらセンサ７５，７７の検知信号は、リミットスイッチ７１がオンとなることで検知の開始が行われることが好ましく、すなわち、キー４９の挿入状態（リミットスイッチ７１のオン状態）が前提となる制御となる回路構成が好ましい。
【００４３】
照明部６７及び表示灯７３が点灯する（オンになる）と、計時手段８５のカウント値が初期化され、続いて計時手段８５がカウントを始める。そして、所定時間、例えば１５〜２０秒程度経過するまでカウントは継続され、所定時間が経過したなら判別手段８３から駆動制御手段８７へとオフ信号が送出され、照明部６７及び表示灯７３が消灯（オフ）される。なお、この計時手段８５によるカウント中の間、キー４９が収納穴５７から抜かれた場合には、再びキー４９が差し込まれることで最初から所定時間がカウントが開始されることになる。
【００４４】
下表に、各信号と照明部６７及び表示灯７３のオン（点灯）・オフ（消灯）状態との関係を表す。
【００４５】
【表１】
2004244944.tif 000003
【００４６】
このように、上記した操作部材収納装置によれば、防犯上、ドア２９から抜脱されたキー４９が収納穴５７に挿し入れられ、キー４９がドア２９の屋内側の面３１にて保管可能となる。これにより、キー４９の保管場所を定めて管理する煩わしさや、持ち歩く必要がなくなり、利便性が向上するとともに、キー４９の紛失も防止される。また、収納穴５７からキー４９が抜き取られ施解錠操作を行う際に、係合孔４７が照明部６７によって照らされ、キー４９の挿入性及び操作性が向上する。
【００４７】
そして、筐体２１が磁石２７によってドア２９の屋内側の面３１に取り付けられるので、既設のドア２９に対する後付けを容易に行うことができる。
また、赤外線センサ７５を備えるので、人が近づけば、照明部６７によって係合孔４７が照らされ、暗闇においても係合孔４７にキー４９が挿入されていないことが容易に視認可能となり、すなわち防犯状態であるか否かが確認可能であり、また、暗闇の中でのキー４９の操作を可能とし、挿脱式キー４９を備えたドア２９の操作性を向上させることができる。
【００４８】
さらに、光センサ７７を備えるので、周囲が明るいときには、照明部６７及び表示灯７３の不要な点灯動作が停止されて、消費電力を低減することができる。
また、制御手段８１が、計時手段８５によって所定時間経過後に照明部６７及び表示灯７３を消灯するので、良好な視認性を適宜な時間で確保しながら、消費電力を低減することができる。
【００４９】
次に、本発明に係る操作部材収納装置の他の実施の形態を説明する。なお、図２に示した部材と同一の部材には同一の符号を付し、重複する説明は省略するものとする。
【００５０】
図６は内蔵タイプ操作部材収納装置の設けられた開閉体の斜視図である。
この実施の形態による操作部材収納装置２００は、収納穴５７がドア２９の屋内側の面３１に開口して、例えばポケット状に設けられ、挿脱検出手段であるリミットスイッチ７１や制御手段（図示せず）等がドア２９に内設されている。また、照明手段としては、係合孔４７の周囲を照らすリング状に形成され、例えばリング状の面発光型発光ダイオードを用いて、キーガイド照明部９３とし、回動筒４５の前面に設ける。また、表示手段としては、図示しないが、キーガイド照明部９３と同様に略リング状に形成して収納穴５７の周囲を照らす構成としても良い。
この操作部材収納装置２００によれば、ドア２９からの突出物が収納穴５７周りの部分のみであり、ドア２９の意匠性や機能性を損ねることがなく、上記同様の効果が得られるものである。
【００５１】
なお、上記した実施の形態では、操作部材が単なる細板４９ｂを備えたキー４９である場合を例に説明したが、操作部材は、図７に示すように、ドア２９の屋外側の面に設けられたシリンダ錠の合鍵９１であってもよい。
このような例によれば、合鍵一つで操作部材との兼用が可能となる。また、合鍵９１が収納穴５７に収納できるようになり、合鍵９１の新たな保管場所も確保される。この場合、回動筒４５は、シリンダ錠である必要はない。
【００５２】
また、上記した実施の形態では、錠箱へ回動操作力を入力する手段として回動筒４５を設けた例を説明したが、錠箱へ回動操作力を入力する手段は、この他、シリンダ錠（図示せず）であってもよい。
このような変形例によれば、係合孔４７がシリンダ錠となり、このシリンダ錠が例えばドア２９の屋外側シリンダ錠（図示せず）と同一となることにより、合鍵９１が共用可能となる。また、この場合、操作部材を他部材にて代用することが困難になる。
【００５３】
また、上述した実施の形態では、開閉体をドア２９として説明したが、この開閉体としては、引戸や、その他の戸体として構成されても上記同様の効果を得られるものである。
【００５４】
【発明の効果】
以上説明したように、本発明に係る請求項１記載の開閉体の操作部材収納装置によれば、抜脱された操作部材を挿し入れる収納穴と、操作部材の係合孔を照らす照明手段と、収納穴に対する操作部材の挿脱によってオン・オフ作動される挿脱検出手段と、照明手段をオン・オフする制御手段とを備えたので、施解錠操作するための操作部材が、屋内側の面に挿脱される開閉体において、防犯上、開閉体から抜脱した操作部材を収納穴に挿し入れて、収納穴に保管することができる。この結果、操作部材の保管場所を定めて管理する煩わしさや、持ち歩く必要がなくなり、利便性を向上させることができるとともに、操作部材の紛失も防止することができる。また、非常時の際にも、操作部材の所在が明らかであることから、慌てることなく解錠操作を行うことが可能となる。さらに、収納穴から操作部材を抜き取って施解錠操作する際、係合孔が照明手段によって照らされるので、操作部材の挿入性も向上させることができる。
【００５５】
そして、収納穴と、照明手段と、挿脱検出手段と、制御手段とを、開閉体と別体の筐体に設ければ、この筐体が取付手段によって開閉体の屋内側の面に取り付けられるので、既設の開閉体に対して容易に後付けすることができる。
【００５６】
また、収納穴を開閉体の屋内側の面に開口して設け、照明手段及び挿脱検出手段を開閉体に内設すれば、開閉体からの突出物をなくすことができ、開閉体の意匠性や機能性を損ねることがない。
【００５７】
さらに、人体を検出する人体検出手段を備える構成とすることで、人が開閉体の屋内側に近づいた際、人体検出手段が作動して照明手段によって係合孔が照らされ、暗闇においても係合孔に操作部材が挿入されていないことが容易に視認でき、また、暗闇における操作部材による操作を行え、挿脱式の操作部材を備えた開閉体の操作性を低下させることがない。
【００５８】
また、周囲の明るさを検出する照度検出手段を備える構成とすることで、周囲が明るいときには照明手段の不要な点灯動作を停止させて、消費電力を低減することができる。
【００５９】
また、所定時間後に照明手段を消灯する制御手段を備えれば、人体検出手段が作動したとき或いは挿脱検出手段が作動したとき、所定時間後に照明手段が消灯する。換言すれば、各検出手段が作動してから所定時間だけ、照明手段が点灯し続けることになる。これにより、良好な視認性を適宜な時間で確保しながら、消費電力を低減することができる。
【００６０】
また、収納穴を示す表示手段を備えれば、収納穴に挿し入れられた操作部材の視認性を良好にすることができる。
【００６１】
また、操作部材が屋外側のシリンダ錠に用いられる合鍵となれば、合鍵一つで操作部材としても兼用でき、しかも合鍵が収納穴に収納できるようになり、合鍵の新たな保管場所も確保することができる。
【００６２】
また、操作部材が挿入される開閉体の屋内側の係合孔がシリンダ錠であれば、このシリンダ錠を、開閉体の屋外側のシリンダ錠と同一とすることにより、合鍵が共用可能になるとともに、操作部材を他部材にて代用することを困難にすることができる。
【図面の簡単な説明】
【図１】本発明に係る操作部材収納装置の分解斜視図である。
【図２】図１に示した操作部材収納装置の取り付けられた開閉体屋内面の斜視図である。
【図３】照明手段の動作説明図である。
【図４】人体検出手段の検出範囲を平面視（ａ）、側面視（ｂ）に表した動作説明図である。
【図５】図１に示した操作部材収納装置の機能部品構成を表すブロック図である。
【図６】内蔵タイプ操作部材収納装置の設けられた開閉体の斜視図である。
【図７】合鍵が兼用される操作部材収納装置の設けられた開閉体の斜視図である。
【図８】従来の引戸等の建具を表した断面図である。
【符号の説明】
２１…筐体
２７…取付手段（磁石）
２９…開閉体（ドア）
３１…屋内側の面
４７…係合孔
４９…操作部材（キー）
５７…収納穴
６７…照明手段（照明部）
７１…挿脱検出手段（リミットスイッチ）
７３…表示手段（表示灯）
７５…人体検出手段（赤外線センサ）
７７…照度検出手段（光センサ）
８１…制御手段
８５…計時手段
９１…操作部材（合鍵）
１００，２００…操作部材収納装置
【図１】
2004244944.tif 000004
【図２】
2004244944.tif 000005
【図３】
2004244944.tif 000006
【図４】
2004244944.tif 000007
【図５】
2004244944.tif 000008
【図６】
2004244944.tif 000009
【図７】
2004244944.tif 000010
【図８】
2004244944.tif 000011